(57)【要約】【課題】クリップ及び反射シートが熱膨張したとき、クリップ及び反射シートの間でキシミ音が発生しないようにすることができる光源装置を提供する。【解決手段】収容されるランプ１と対向すべき壁部に複数の第１孔２３を有する筺体２と、第１孔２３に対応する複数の第２孔３１を有しランプ１が発光した光を反射させるべき反射シート３と、第１孔２３及び第２孔３１に各挿通することにより壁部に係止される係止部４１及びランプ１を保持する保持部４２を有するクリップ４とを備え、壁部とクリップ４との少なくとも一方に、係止部４１が壁部に係止される際他方に当接してクリップ４の壁部側への移動を規制する凸部５を設け、壁部と保持部４２との間の距離Ｈを反射シート３の厚さ以上に保つようにした。【選択図】図２
2008071586.tif 000002
【特許請求の範囲】
【請求項１】
収容されるランプと対向すべき壁部に複数の第１孔を有する筺体と、前記第１孔に対応する複数の第２孔を有し、且つ前記ランプが発光した光を反射させるべき反射シートと、前記第１孔及び第２孔に各挿通することにより前記壁部に係止される係止部及び前記ランプを保持する保持部を有するクリップとを備える光源装置において、前記壁部及びクリップの少なくとも一方は、前記係止部が壁部に係止される際他方に当接して前記クリップの壁部側への移動を規制する規制部を有することを特徴とする光源装置。
【請求項２】
前記規制部は、前記壁部と保持部との間の距離を前記反射シートの厚さ以上に保つ長さである請求項１記載の光源装置。
【請求項３】
前記規制部は前記第１孔の周りに一体成形してなる凸部である請求項１又は２記載の光源装置。
【請求項４】
前記係止部と保持部との間に、前記第２孔に挿入されて前記反射シートの筺体に対する位置を決める位置決凸部を有し、前記凸部は位置決凸部に当接している請求項３記載の光源装置。
【発明の詳細な説明】
【技術分野】
【０００１】
本発明は液晶表示装置等の表示装置の光源として使用される光源装置に関する。
【背景技術】
【０００２】
テレビ等の表示装置は、画像を表示する画像表示面を前側に有する表示部の後側に光源装置が配されている。
【０００３】
光源装置は縦に離隔して並置される複数本のランプと、夫々のランプを収容する筺体と、該筺体内のランプと対向する壁部に載置され、ランプが発光した光を反射させる反射シートと、夫々のランプを保持し、該ランプを筺体の前記壁部に取付けるクリップとを備える（例えば、特許文献１参照）。
【０００４】
図６は従来の光源装置の構成を示す断面図である。筺体１００は直方体をなし、ランプ１０１と対向する壁部１０２に複数の第１孔１０３を開設してある。反射シート１０４はランプ１０１及び前記壁部１０２間に配置されており、第１孔１０３に対応する第２孔１０５を開設してある。クリップ１０６は第１孔１０３及び第２孔１０５に挿通される係止部１０７と、ランプ１０１の中間部が嵌合保持される保持部１０８とを有し、係止部１０７を第１孔１０３に挿通係止することにより保持部１０８が反射シート１０４に接触するように構成されている。
【０００５】
ところで、光源装置のランプ１０１は点灯時に昇温して高温となり、消灯時に降温して常温となる。また、ランプ１０１を保持するクリップ１０６はランプ１０１の周面に接触しているため、ランプ１０１の温度変化に対応して温度が変わる。また、ランプ１０１が発光した光を反射させる反射シート１０４は筺体１００内のランプ１０１の近傍に配置されているため、ランプ１０１の温度変化に対応して温度が変わる。
【０００６】
また、クリップ１０６及び反射シート１０４は一般的に合成樹脂製であるため、ランプ１０１の点灯時に熱膨張することになる。
【特許文献１】特開２００１−２１０１２６号公報
【発明の開示】
【発明が解決しようとする課題】
【０００７】
ところが、筺体１００の第１孔１０３に挿通係止されるクリップ１０６は保持部１０８が反射シート１０４に接触することになり、また、クリップ１０６及び反射シート１０４の線膨張係数が異なるため、ランプ１０１の点灯によりクリップ１０６及び反射シート１０４が熱膨張したとき、クリップ１０６及び反射シート１０４の接触摩擦抵抗が増大するとともに、クリップ１０６及び反射シート１０４の間に相対移動が発生する。因って、クリップ１０６及び反射シート１０４は接触摩擦抵抗が増大しつつ相対移動することになるため、クリップ１０６及び反射シート１０４の間でキシミ音が発生することがあり、改善策が要望されていた。
【０００８】
本発明は斯かる事情に鑑みてなされたものであり、主たる目的は複数の第１孔を有する壁部とクリップとの少なくとも一方に、係止部が壁部に係止される際他方に当接してクリップの壁部側への移動を規制する規制部を設けることにより、クリップ及び反射シートが熱膨張したとき、クリップ及び反射シートの間でキシミ音が発生しないようにすることができる光源装置を提供することにある。
【０００９】
また、他の目的は壁部と保持部との間の距離を反射シートの厚さ以上に保つ長さの規制部とすることにより、クリップと反射シートとの間に微小の隙間を設けることができる光源装置を提供することにある。
【００１０】
また、他の目的は規制部を、第１孔の周りに一体成形してなる凸部である構成とすることにより、規制部を備えるに拘らず加工性及び組立作業性を既存のものと等しくすることができる光源装置を提供することにある。
【００１１】
また、他の目的は係止部と保持部との間に、第２孔に挿入されて前記反射シートの筺体に対する位置を決める位置決凸部を設け、該位置決凸部に凸部が当接している構成とすることにより、反射シートの筺体に対する位置を容易に決めることができ、しかも、凸部の高さを低くすることができる光源装置を提供することにある。
【課題を解決するための手段】
【００１２】
本発明に係る光源装置は、収容されるランプと対向すべき壁部に複数の第１孔を有する筺体と、前記第１孔に対応する複数の第２孔を有し、且つ前記ランプが発光した光を反射させるべき反射シートと、前記第１孔及び第２孔に各挿通することにより前記壁部に係止される係止部及び前記ランプを保持する保持部を有するクリップとを備える光源装置において、前記壁部及びクリップの少なくとも一方は、前記係止部が壁部に係止される際他方に当接して前記クリップの壁部側への移動を規制する規制部を有することを特徴とする。
【００１３】
この発明にあっては、クリップの係止部を第１孔及び第２孔に挿通して壁部に係止する際、クリップの壁部側への移動を規制部により規制し、クリップを反射シートに接触させないようにすることができるため、クリップ及び反射シートが熱膨張したとき、クリップ及び反射シートの間でキシミ音が発生するのをなくし得る。
【００１４】
また、本発明に係る光源装置は、前記規制部は、前記壁部と保持部との間の距離を前記反射シートの厚さ以上に保つ長さであることを特徴とする。
【００１５】
この発明にあっては、クリップの係止部を第１孔及び第２孔に挿通して係止するとき、クリップの壁部側への移動を規制部により規制し、クリップと反射シートとの間に微小の隙間を設けることができるため、クリップ及び反射シートが熱膨張したとき、クリップ及び反射シートの間でキシミ音がより一層発生し難くすることができる。
【００１６】
また、本発明に係る光源装置は、前記規制部は前記第１孔の周りに一体成形してなる凸部であることを特徴とする。
【００１７】
この発明にあっては、規制部を筺体の壁部と一体に成形することができるため、規制部を備えるに拘らず加工性及び組立作業性を既存のものと等しくすることができ、コストを低減できる。
【００１８】
また、本発明に係る光源装置は、前記係止部と保持部との間に、前記第２孔に挿入されて前記反射シートの筺体に対する位置を決める位置決凸部を有し、前記凸部は位置決凸部に当接していることを特徴とする。
【００１９】
この発明にあっては、クリップの係止部を第１孔及び第２孔に挿通して係止するとき、位置決凸部が第２孔に挿入され、反射シートの筺体に対する位置を容易に決めることができ、しかも、凸部は位置決凸部に当接してクリップの壁部側への移動を規制するため、凸部の高さを低くでき、金属板で形成される筺体の軽量化を図ることができる。
【発明の効果】
【００２０】
本発明によれば、クリップの係止部を第１孔及び第２孔に挿通して壁部に係止する際、クリップを反射シートに接触させないようにすることができるため、クリップ及び反射シートが熱膨張したとき、クリップ及び反射シートの間でキシミ音が発生するのをなくし得る。
【００２１】
また、本発明によれば、クリップの係止部を第１孔及び第２孔に挿通して壁部に係止する際、クリップと反射シートとの間に微小の隙間を設けることができるため、クリップ及び反射シートが熱膨張したとき、クリップ及び反射シートの間でキシミ音がより一層発生し難くすることができる。
【００２２】
また、本発明によれば、規制部を筺体の壁部と一体に成形することができるため、規制部を備えるに拘らず加工性及び組立作業性を既存のものと等しくすることができ、コストを低減できる。
【００２３】
また、本発明によれば、クリップの係止部を第１孔及び第２孔に挿通して壁部に係止する際、位置決凸部が第２孔に挿入され、反射シートの筺体に対する位置を容易に決めることができ、しかも、凸部は位置決凸部に当接してクリップの壁部側への移動を規制するため、凸部の高さを低くでき、金属板で形成される筺体の軽量化を図ることができる。
【発明を実施するための最良の形態】
【００２４】
以下本発明をその実施の形態を示す図面に基づいて詳述する。図１は本発明に係る光源装置の構成を示す分解図、図２は要部の構成を示す拡大断面図、図３は筺体の構成を示す平面図である。
【００２５】
図示した光源装置は、複数本が並置される円筒形をなすランプ１と、該ランプ１を収容し、ランプ１の両端部を支持する筺体２と、該筺体２内のランプ１と対向する壁部２１に載置され、ランプ１が発光した光を筺体２の開放部側に反射させるべき反射シート３と、ランプ１の中間部を保持し、筺体２の壁部２１に取付けるクリップ４とを備える。
【００２６】
ランプ１は両端部に電極を有する冷陰極管であり、夫々のランプ１の電極にインバータ回路基板が接続され、パルス幅変調信号により明るさが制御されるように構成されている。
【００２７】
筺体２は直方体をなす金属製の枠部２２と、周縁部が枠部２２に結合され該枠部２２の後側端を閉鎖する金属板製の壁部２１とを備える。枠部２２の対向する二辺部には、ランプ１の両端部が嵌合される嵌合凹部が列設されている。壁部２１には各ランプ１の長手方向中間部と対向する位置に、複数の第１孔２３と、該第１孔２３の周りから反射シート３側へ突出する環状の凸部５とが設けられている。
【００２８】
第１孔２３は丸形をなし、凸部５は第１孔２３の回りに壁部２１と一体に成形されている。また、凸部５はクリップ４の後記する保持部４２（詳しくは位置決凸部）に当接し、後記する係止部４１が壁部２１に取付けられる際クリップ４の壁部２１側への移動を規制するものであり、この規制により壁部２１と保持部４２との間の距離Ｈを反射シート３の厚さ以上に保つことができるようにしてある。
【００２９】
反射シート３は一枚の合成樹脂シートからなり、第１孔２３に対応する複数の第２孔３１が開設されている。この第２孔３１は第１孔２３より大径であり、反射シート３が壁部２１に載置されるとき、凸部５が第２孔３１に挿入されるようになっている。
【００３０】
クリップ４は第１孔２３に挿通され、壁部２１に係止される係止部４１及び該係止部４１と一体に成形され、ランプ１を保持する保持部４２とを有し、ポリカーボネート等の合成樹脂により一体に成形されている。また、クリップは並置される２本のランプを保持する二つの保持部及び該保持部に対応する二つの係止部が離隔した位置で一体に成形されているが、いずれも同じ構造であるため、一方だけを記載してある。
【００３１】
保持部４２はランプ１の中間部が嵌合される二つの保持片４２ａ，４２ａと該保持片４２ａ，４２ａを連結する板状の連結部４２ｂとを有し、該連結部４２ｂの保持片４２ａ，４２ａと反対側に、第２孔３１に挿入されて反射シート３の筺体２に対する位置を決める円形の位置決凸部４２ｃが一体に突設されており、係止部４１が壁部２１に係止される際、位置決凸部４２ｃの端面に凸部５の先端が当接してクリップ４の壁部２１側への移動を規制し、連結部４２ｂと反射シート３との対向面間に微小の隙間を発生させるようにしてある。保持片４２ａ，４２ａはランプ１の外形に対応して湾曲する湾曲部と、該湾曲部の先端から離隔方向へ延出された案内部とを有しており、ランプ１が嵌め込まれるとき離間方向へ撓むように構成されている。このように構成されたクリップ４の二個は板状の連結部４２ｂにより一体に連結されており、該連結部４２ｂの中央部に保持片４２ａ，４２ａと対向する摘み部が突設されている。
【００３２】
係止部４１は連結部４２ｂの保持片４２ａ，４２ａと反対側に突設されている位置決凸部４２ｃに連なる板状の脚部４１ａ、及び該脚部４１ａの端末に連なる二つの可撓片４１ｂ，４１ｂを有し、該可撓片４１ｂ，４１ｂの端部に、第１孔２３の孔縁に係合して、第１孔２３から抜出るのを阻止される係合部４１ｃ，４１ｃが設けられている。
【００３３】
可撓片４１ｂ，４１ｂは脚部４１ａの両側面と対向しており、第２孔３１から第１孔２３に挿通されるとき脚部４１ａ側へ撓み、第１孔２３に挿通されたとき弾性復元し、第１孔２３の孔縁に係合部４１ｃ，４１ｃが係合して係止されるように構成されている。
【００３４】
以上のように構成された光源装置は、反射シート３を筺体２内に挿入して壁部２１に載置し、第１孔２３に第２孔３１を位置合わせする。
クリップ４の係止部４１を第２孔３１から第１孔２３に挿通することにより、係合部４１ｃ，４１ｃが第１孔２３の孔縁に係合し、係止部４１を第１孔２３に係止することができるとともに、位置決凸部４２ｃが凸部５に当接し、クリップ４の壁部２１側への移動を規制することができ、クリップ４の連結部４２ｂが反射シート３に接触するのを防ぐことができ、連結部４２ｂと反射シート３との対向面間に微小の隙間を発生させることができる。
【００３５】
このように組立てられた光源装置は、クリップ４及び反射シート３が合成樹脂製であるため、ランプ１の点灯によりクリップ４及び反射シート３は熱膨張することになるが、クリップ４の反射シート３と対向する部分は反射シート３に接触していないため、クリップ４及び反射シート３が熱膨張したとき、クリップ４及び反射シート３の接触摩擦抵抗が増大するのを抑制することができる。因って、前記熱膨張によりクリップ４及び反射シート３が相対移動したとしても、クリップ４及び反射シート３の間でキシミ音が発生するのをなくすることができる。
【００３６】
図４及び図５は本発明に係る光源装置の他の構成を示す要部の拡大断面図である。図４は位置決凸部４２ｃをなくし、第１孔２３の周りから反射シート３側へ突出する環状の凸部５を連結部４２ｂに当接させ、クリップ４が壁部２１側へ移動するのを規制するように構成してある。
【００３７】
図５は規制部としての凸部５をクリップ４の保持部４２に設け、該凸部５を壁部２１の第１孔２３回りに当接させ、クリップ４が壁部２１側へ移動するのを規制するように構成してある。
図４及び図５において、その他の構成及び作用は図２に示す実施の形態と同様であるため、同様の部品については同じ符号を付し、その詳細な説明及び作用効果の説明を省略する。
【００３８】
尚、以上説明した実施の形態では規制部としての凸部５を壁部２１及びクリップ４の一方に設けたが、その他、凸部５を壁部２１及びクリップ４の両方に設けてもよい。この場合、例えば図２の位置決凸部４２ｃを凸部５としてもよい。
【００３９】
また、以上説明した実施の形態ではクリップ４の保持部４２と壁部２１との間でクリップ４の壁部２１側への移動を規制するようにしたが、その他、例えば第１孔２３の内側と、図２のように構成された係止部４１の脚部４１ａとの一方に第１の凸部を設け、他方に第１の凸部が当接する第２の凸部を設け、係止部４１が第１孔２３に挿通係止されたとき第１及び第２の凸部同士が当接し、クリップ４の壁部２１側への移動を規制するように構成してもよい。
【図面の簡単な説明】
【００４０】
【図１】本発明に係る光源装置の構成を示す分解図である。
【図２】本発明に係る光源装置の要部の構成を示す拡大断面図である。
【図３】本発明に係る光源装置の筺体の構成を示す平面図である。
【図４】本発明に係る光源装置の他の構成を示す要部の拡大断面図である。
【図５】本発明に係る光源装置の他の構成を示す要部の拡大断面図である。
【図６】従来の光源装置の構成を示す断面図である。
【符号の説明】
【００４１】
１    ランプ
２    筺体
２１  壁部
２３  第１孔
３    反射シート
３１  第２孔
４    クリップ
４１  係止部
４２  保持部
４２ｃ  位置決凸部
５    凸部（規制部）
【図１】
2008071586.tif 000003
【図２】
2008071586.tif 000004
【図３】
2008071586.tif 000005
【図４】
2008071586.tif 000006
【図５】
2008071586.tif 000007
【図６】
2008071586.tif 000008